(57)【要約】      （修正有）【課題】投げ釣り用に用いられる釣り用錘において、根掛りを防止すると共に回収時には容易に回収できる釣り用錘を提供する。【解決手段】釣り用錘は、両端に連結用の貫通穴を設けた錘本体を複数個ワイヤー又はＰＥ製釣り糸で連結させ、道糸側にはねじれ防止のための撚り戻しを取り付けた。釣り糸を強く引くことで障害物から離脱させるために錘本体個々がテコの原理で立ち上がるようにした。【選択図】図１
0003177671.tif 000002
【実用新案登録請求の範囲】
【請求項１】
錘の重さを自由に調整させるため一定重量の錘本体を複数個連結させるように、錘本体の両端に各１箇所貫通穴を設けたことを特徴とする。
【請求項２】
錘本体の片端の貫通穴ともう一つの錘本体の片端の貫通穴をワイヤー又はＰＥ釣り糸を通して結び連結させることを特徴とする請求項１記載の釣り用錘。
【請求項３】
錘本体片端の貫通穴の道糸側に撚り戻しを設けたことを特徴とする請求項１記載の釣り用錘。
【請求項４】
錘本体の形状は直円柱体、多角形柱体、円錐台、正四角錐台から構成されていることを特徴とする請求項１記載の釣り用錘。
【請求項５】
錘本体の両端に貫通穴を設けるが、穴の位置は錘本体の端から錘本体の巾の二分の一から２倍の長さをおいたところに設け、片端の貫通穴と相対する片端の貫通穴は平行か、９０度方向に設けることを特徴とした請求項１の錘。
【請求項６】
錘本体の両端面は平面状、片端を平面状に、相対する片面を円錐状に尖らす形状、両端面を円錐状に尖らすことから構成されていることを特徴とする請求項１記載の釣り用錘。
【考案の詳細な説明】
【技術分野】
【０００１】この発明は根掛り防止釣り用錘に関するものである。
【背景技術】
【０００２】従来の釣り用錘は、錘が岩場などの隙間に挟まると、その隙間に噛み込んで固着し、抜けなくなる。このような根掛りをおこしたときは、道糸や仕掛け糸を切断して対処しなければならず、錘や仕掛けが海底に残され海を汚染することになる。【０００３】特許文献１には、図５に示すような釣り用錘が記載されている。特許文献１には錘本体に取り付けられた線状の弾性部材にバネ性を持たせ根掛かりした場合に釣り糸を引くことでバネ鋼体の両端がお互いに近づく方向へ弾性変形し、錘本体を持ち上げ障害物との接点及び重心位置を移動させることにより障害物から脱却するものである。
【先行技術文献】
【０００４】
【特許文献１】特開２００９−１５９８９６
【考案の概要】
【考案が解決しようとする課題】
【０００５】先行案件の釣り用錘は、錘に加工を施しバネ鋼体部材を用いることで加工工数も多く高価になる欠点とバネ弾性の変化により錘を持ち上げられない危険性が考えられる。更に重さ別の錘を釣り場や釣る魚の種類により複数個用意しなければならい。製造工数を減らし、安価に提供すると共に根掛りした場合には、道糸を引くことで脱出可能になり、前述の欠点を解決しようとするものである。
【課題を解決するための手段】
【０００６】本考案は、つり場及び釣り条件の違いにより重さの違った錘を複数準備しなければならなかったが、錘本体の両端に完通穴を設け、錘を連結させ錘全体の重さを自由に変えることを出来るようにして問題を解決している。【０００７】岩などの障害物に錘が引っかかった場合、錘本体にバネなどの加工品を加えることなく、錘本体が引っかかった接触点を支点にして道糸を引くことにより錘がテコの応用で立ち上がり、連結された錘本体が順次引き上げられ、でんぐり返しのように障害物から逃げることが出来るようにして問題を解決している。
【考案の効果】
【０００８】本発明に係る釣り用錘は、根掛りからの脱却が可能になることと、釣り場条件、釣る魚の大きさなどにより簡単に錘重量を変えることが出来、しかも安価に提供できる。
【図面の簡単な説明】
【０００９】
【図１】本発明の釣り用錘の一例を示す概略図である。
【図２】錘本体に設ける貫通穴の状態を示す概略図である。
【図３】本発明の釣り用錘が岩場に当たった状態を示す概略図である。
【図４】本発明の釣り用錘が起き上がった状態を示す概略図である。
【図５】先行技術文献  特開２００９−１５９８９６  参考図
【考案を実施するための形態】
【００１０】錘本体５の両端に貫通穴を設け、複数個の錘をワイヤー及びＰＥ製編みこみ釣り糸２を結び連結させ錘全体の重さを変えることが出来るようにした。
【００１１】錘本体５の道糸側を円錐状にし、根掛りした岩場及び障害物との接点を少なくし、道糸を引いたとき岩場及び障害物との接触点で錘本体の支点となるようにし、錘本体が支点を基点にして起き上がるようにした。
【実施例】
【００１２】以下、本考案の実施形態について、図面に基づき、詳細に説明する。
図１は、本発明に適用した釣り用錘の一例を示した概略平面図である。
本考案の錘本体５には錘本体両端に貫通穴３、貫通穴４が設けられており、錘本体がＰＥ製編み込み釣り糸２を貫通穴に通して連結され結ばれており、錘の道糸側には撚り戻し１がＰＥ製編み込み釣り糸２で結ばれて釣り用錘１を形成されている。【００１３】錘本体に設ける貫通穴の設け方は図２の平面図に示すように錘本体６の上端部の貫通穴１に対して下端部の貫通穴２は貫通穴１に対して９０度方向を変えて設けることを説明した。【００１４】図３は錘本体が岩場などに当たった状態を示す概略図である。【００１５】図４は、本発明の錘が岩場に当り、道糸を引き上げたときに錘の片端が岩場との接触点を支点にして起き上がり、岩場から離れ、根掛りの発生を抑制することが出来る。
【符号の説明】
【００１６】１    釣り用錘
２    ワイヤー及びＰＥ製編みこみ釣り糸
３    貫通穴１
４    貫通穴２
５    錘本体
６    錘本体ａ
７    貫通穴３
８    道糸
９    ハリスワイヤー
１０  針
１１  岩場
【図１】
0003177671.tif 000003
【図２】
0003177671.tif 000004
【図３】
0003177671.tif 000005
【図４】
0003177671.tif 000006
【図５】
0003177671.tif 000007
【手続補正書】
【提出日】平成24年4月18日(2012.4.18)
【手続補正１】
【補正対象書類名】実用新案登録請求の範囲
【補正対象項目名】全文
【補正方法】変更
【補正の内容】
【実用新案登録請求の範囲】
【請求項１】
錘の重さを自由に調整させるため一定重量の錘本体を複数個連結させるように、錘本体の両端に各１箇所貫通穴を設けたことを特徴とする釣り用錘。
【請求項２】
錘本体の片端の貫通穴ともう一つの錘本体の片端の貫通穴をワイヤー又はＰＥ釣り糸を通して結び連結させることを特徴とする請求項１記載の釣り用錘。
【請求項３】
錘本体片端の貫通穴の道糸側に撚り戻しを設けたことを特徴とする請求項１記載の釣り用錘。
【請求項４】
錘本体の形状は直円柱体、多角形柱体、円錐台、正四角錐台から構成されていることを特徴とする請求項１記載の釣り用錘。
【請求項５】
錘本体の両端に貫通穴を設けるが、穴の位置は錘本体の端から錘本体の巾の二分の一から２倍の長さをおいたところに設け、片端の貫通穴と相対する片端の貫通穴は平行か、９０度方向に設けることを特徴とした請求項１記載の釣り用錘。
【請求項６】
錘本体の両端面は平面状、片端を平面状に、相対する片面を円錐状に尖らす形状、両端面を円錐状に尖らすことから構成されていることを特徴とする請求項１記載の釣り用錘。